(57)【要約】      （修正有）【課題】生産原価が上昇することなく、余分に垂れ下がった操作紐を束ねて保持可能な遮蔽装置を提供する。【解決手段】建築物に固定される支持部材２と、一端と他端とを備え、一端が前記支持部材２に支持される遮蔽材１と、該遮蔽材１の他端に設けられ、該遮蔽材１に対して重力方向に張力を加える加重部材３と、該加重部材３を支持部材２に対して相対的に変位させて遮蔽材１の開閉操作を行う操作紐４と、磁力により吸着する吸着部材１１と、支持部材２、遮蔽材１、加重部材３及び／又は操作紐４に設けられ、吸着部材１１が吸着される被吸着部材５とを備え、吸着部材１１を被吸着部材５に吸着させることにより、操作紐４をまとめることができる。【選択図】図１
0003175194.tif 000002
【実用新案登録請求の範囲】
【請求項１】
建築物に固定される支持部材と、
一端と他端とを備え、一端が前記支持部材に支持される遮蔽材と、
前記遮蔽材の他端に設けられ、該遮蔽材に対して重力方向に張力を加える加重部材と、
前記加重部材を前記支持部材に対して相対的に変位させて前記遮蔽材の開閉操作を行う操作紐と、
磁力により吸着する吸着部材と、
前記支持部材、遮蔽材、加重部材及び／又は操作紐に設けられ、前記吸着部材が吸着される被吸着部材とを備え、
前記吸着部材を被吸着部材に吸着させることにより、前記操作紐をまとめることができる遮蔽装置。
【請求項２】
前記吸着部材に前記操作紐を引っ掛けることができるように引掛け部を備えている請求項１に記載の遮蔽装置。
【請求項３】
前記吸着部材及び前記被吸着部材が、前記操作紐に摺動可能に取り付けられている請求項１に記載の遮蔽装置。
【考案の詳細な説明】
【技術分野】
【０００１】
本考案は、操作紐により遮蔽材の開閉を行う遮蔽装置に関する。
【背景技術】
【０００２】
従来、紐やボールチェーン等の操作紐を引き下げることによって、カーテンや簾を巻き上げたり、ブラインドを引き上げる方式の遮蔽装置が知られている。この様な遮蔽装置は、引き下げた操作紐が長くなって床上に溜まり、歩行の邪魔になったり家具へ絡んだりする問題がある。
【０００３】
この問題を解決する為の遮蔽装置が、本出願人による特開平９−２５２９２７号公報に記載されている。図９に示すように、この遮蔽装置は、筒状体７１とアーム７２で構成された係止具７０を備えている。係止具７０は、吊り紐７３を筒状体７１とアーム７２で挟持することにより、使用者の背丈に応じた位置に固定される。これにより、余分に垂れ下がった吊り紐７３を束ねてアーム７２に引っ掛けることができる。
【０００４】
ところが、係止具７０の構造は複雑であるため、この遮蔽装置の生産原価が上昇するおそれがある。
【先行技術文献】
【特許文献】
【０００５】
【特許文献１】特開平９−２５２９２７号公報
【考案の概要】
【考案が解決しようとする課題】
【０００６】
この考案は上記課題に着目し、余分に垂れ下がった操作紐を束ねて保持可能であり、構造の単純な遮蔽装置を提供することを目的とする。
【課題を解決するための手段】
【０００７】
上記課題を解決する為に、本考案の遮蔽装置は、建築物に固定される支持部材と、一端と他端とを備え、一端が前記支持部材に支持される遮蔽材と、前記遮蔽材の他端に設けられ、該遮蔽材に対して重力方向に張力を加える加重部材と、前記加重部材を前記支持部材に対して相対的に変位させて前記遮蔽材の開閉操作を行う操作紐と、磁力により吸着する吸着部材と、前記支持部材、遮蔽材、加重部材及び／又は操作紐に設けられ、前記吸着部材が吸着される被吸着部材とを備え、前記吸着部材を被吸着部材に吸着させることにより、前記操作紐をまとめることができることを特徴とするものである。
【０００８】
前記吸着部材に前記操作紐を引っ掛けることができるように引掛け部を備えていることを特徴とするものである。
【０００９】
また、吸着部材及び被吸着部材が、操作紐に摺動可能に取り付けられていることを特徴とするものである。
【考案の効果】
【００１０】
本考案の遮蔽装置は、磁力により互いに吸着する吸着部材と被吸着部材によって、操作紐を遮蔽装置の所定の位置にまとめて保持し得る。よって、余分に垂れ下がった操作紐が床上に溜まったり、家具に引っ掛かることを防止することができる。被吸着部材を支持部材に設けた場合には、まとめられた操作紐を遮蔽装置の上部に保持し得るので、例えば、子供による操作紐の誤操作を防止することができる。また、被吸着部材を遮蔽材に設けた場合には、使用者は遮蔽材の開閉の程度に合わせて吸着部材の吸着位置を調節することができる。また、被吸着部材を加重部材に設けた場合には、吸着部材を加重部材に吸着させた状態でも、遮蔽材の開閉操作を行うことができる。また、被吸着部材を操作紐に設けた場合には、使用者の背丈に応じた高さに吸着位置を調節することができる。また、支持部材、遮蔽材、加重部材、及び操作紐それぞれに被吸着部材を設けることにより、使用者は遮蔽装置の取付の態様に応じて、最適な吸着部位を選択することができる。
【００１１】
また、引掛け部を吸着部材に備えることにより、使用者は操作紐を任意の長さに束ねて容易に引っ掛けることができる。
【００１２】
また、吸着部材及び被吸着部材を操作紐に設けることにより、使用者は遮蔽装置の取付の態様、開閉状態等に影響されずに、操作紐を束ねて保持することができる。
【図面の簡単な説明】
【００１３】
【図１】本考案の実施例１に係る遮蔽装置を示した斜視図である。
【図２】（Ａ）は本考案の実施例１に係る他の吸着部材の斜視図であり、（Ｂ）は（Ａ）に示す吸着部材と被吸着部材の側面図である。
【図３】本考案の実施例１に係る更に他の吸着部材及び被吸着部材を示した図である。
【図４】本考案の実施例２に係る遮蔽装置を示した斜視図である。
【図５】本考案の実施例２に係る吸着部材を示した斜視図である。
【図６】本考案の実施例３に係る遮蔽装置を示した斜視図である。
【図７】本考案の実施例４に係る遮蔽装置を示した斜視図である。
【図８】本考案の実施例４に係る遮蔽装置を示した斜視図である。
【図９】従来におけるカーテンを示した斜視図である。
【考案を実施するための形態】
【００１４】
本考案は、操作紐を引き下げることによって、遮蔽材の巻き上げ、引き上げを行う遮蔽装置に関するものである。例えばロールアップ式のカーテン、スクリーン、簾、シェード又は横型ブラインド等々に用いることができる。以下、図面に基づいて本考案の遮蔽装置を説明する。
【実施例１】
【００１５】
図１に示す遮蔽装置１０は、ロールアップ式のカーテンである。遮蔽装置１０は、建築物に取り付けられる支持部材２と、支持部材２に取り付けられた遮蔽材１と、遮蔽材１の下端に取り付けられた加重部材３と、支持部材２に固定された操作紐４と、支持部材２に設けられた被吸着部材５と、吸着部材１１とを備えている。
【００１６】
支持部材２は、遮蔽材１を支持するものである。支持部材２は木製から成る四角柱形状の棒状体であるが、形状及び材質はこれに限定されない。例えば四角柱形状以外の多角柱形状、円柱形状の棒状体であってもよく、ＡＢＳ樹脂等のプラスチック製であってもよい。支持部材２の長手方向の寸法は、窓枠等の遮蔽装置１０の設置対象に適合するように設計される。支持部材２は上面に取付部材１５と、下面にはその長手方向に不図示の係合溝を有している。取付部材1５は設置対象に取り付けたフック等の取付手段に対して遮蔽装置１０を取り付けるものである。係合溝は遮蔽材１の上端を係合させて、遮蔽材１を支持する溝である。
【００１７】
遮蔽材１は遮光、遮像、遮影等を行うものである。遮蔽材１は天然繊維、化学繊維から成る織布や合成樹脂系素材から成る不織布によって製作される帯状体である。遮蔽材１の幅及び丈の寸法は遮蔽装置１０の設置対象に適合するように設計される。また、遮蔽材１の厚みは、遮蔽装置１０の用途及び遮蔽材１の材質に適した寸法に設計される。
【００１８】
加重部材３は遮蔽材１を重力方向に加重するものであり、遮蔽材１を巻き上げる際には遮蔽材１が巻き付く軸となる。加重部材３の形状、材質及び寸法は支持部材２と同様に木製から成る四角柱形状の棒状体であり、遮蔽装置１０の設置対象に適合するように設計される。加重部材３はその一面に長手方向に不図示の係合溝を有しており、遮蔽材１の下端を係合溝に係合させて、遮蔽材１を取り付けている。
【００１９】
操作紐４は、加重部材３を支持部材２に対して相対的に変位させて、遮蔽材１の開閉を操作するものである。操作紐４は繊維を束ねて加工した紐であるが、これに限定されない。例えば、合成樹脂、強磁性体から製造される複数の球体を繋ぎ合せたボールチェーンであってもよい。操作紐４は、その両端が支持部材２の両端部にそれぞれ固定されており、遮蔽材１の一面の上部から、加重部材３を介して、他面の上部に配置された一対の案内部材に掛けられている。操作紐４は案内部材によってその方向を変えられて、一方の案内部材から重力方向に垂れ下がっている。紐長は、少なくとも遮蔽材１の幅寸法に丈寸法を４倍した寸法を加え、さらに遮蔽材１を閉めた際に操作紐４を把持する為に必要な寸法を加えた長さが必要である。
【００２０】
被吸着部材５は吸着部材１１と吸着し、磁力によって吸着部材１１を保持するものである。被吸着部材５は鉄製の板体に穴開け加工、折り曲げ加工を施したものであり、操作紐４を引っ掛けてその方向を変える案内部材の外装である。被吸着部材５は鉄製に限定されず、強磁性体であればよい。被吸着部材５は支持部材２の両側に螺子等の固定手段によって固定される。
【００２１】
吸着部材１１は被吸着部材５に吸着し、束ねられた操作紐４を保持するものである。吸着部材１１は四角柱形状であり、木製であるが、これに限定されない。例えばその他の多角柱形状や円柱形状であってもよく、ＡＢＳ樹脂等のプラスチック製であってもよい。吸着部材１１の大きさは特に限定されず、束ねられた操作紐４を保持し、被吸着部材５と吸着し得るように設計される。吸着部材１１は吸着部１２と引掛け部１３から構成される。吸着部１２は磁石を備える。引掛け部１３は凹部を有しており、ループ状あるいは束状に纏められた操作紐４が凹部に引っ掛けられて保持される。引掛け部１３は、凹部を設けずに湾曲させて操作紐４を引っ掛けて保持するものでもよい。また、市販のマグネットフックを使用することもできる。図２（Ａ）（Ｂ）に示した吸着部材１１は市販のマグネットフックの一例である。ネコ形状をした吸着部材１１は引掛け部１３と吸着部１２を有し、引掛け部１３には操作紐が束ねて引っ掛けられ、吸着部１２が被吸着部材５と吸着する。
【００２２】
この実施例１による遮蔽装置１０は、一方の案内部材から垂れ下がった操作紐４を引き下げることにより、加重部材３が持ち上げられて回転し、加重部材３を軸として、遮蔽材１が巻き上げられるものである。遮蔽材１を全開にすると、少なくとも遮蔽材１の丈寸法の２倍の長さの操作紐４が案内部材から垂れ下がることとなる。また、一方の案内部材が備える不図示の昇降停止部材は、操作紐４の移動を制御し、遮蔽材１の開閉程度の調節を行っている。
【００２３】
この実施例１による遮蔽装置１０は、遮蔽材１を巻き上げた際に、案内部材から余分に垂れ下がった操作紐４を束ねて吸着部材１１へ引っ掛けることができる。また、吸着部材１１を被吸着部材５へと磁力によって吸着させることができる。よって、操作紐４が床上に溜まったり、家具に引っ掛かることを防止することができる。
【００２４】
この実施例１による遮蔽装置１０は、束ねた操作紐４を遮蔽装置１０の上部に保持し得るので、例えば子供による操作紐４の誤操作を防止することができる。また、遮蔽材１、加重部材３及び／又は操作紐４に被吸着部材を設けてもよい。遮蔽材１に被吸着部材を設けた場合には、吸着部材１１が磁力によって吸着し得るので、使用者は遮蔽材１の開閉の程度に合わせて吸着部材１１の吸着位置を調節することができる。また、加重部材３に被吸着部材を設けた場合には、吸着部材１１を加重部材３に吸着させた状態でも、遮蔽材１の開閉操作を行うことができる。また、操作紐４に被吸着部材を設けた場合には、使用者の背丈に応じた高さに吸着位置を調節することができる。また、支持部材２、遮蔽材１、加重部材３及び操作紐４が被吸着部材を備えることにより、使用者は遮蔽装置１０の取付の態様に応じて、最適な吸着部位を選択することができる。また、被吸着部材５が磁石を備え、吸着部材１１の吸着部が強磁性を有するものであってもよい。
【００２５】
また、被吸着部材５及び吸着部材１１の形状は、互いに吸着して動物、植物等を構成するものであってもよい。例えば、図３に示すように、木の枝の形状の吸着部材１１と、案内部材上に取り付けられた木の形状の強磁性体である被吸着部材５とが、互いに吸着して一体の木を構成するものであってもよい。この際、被吸着部材５、吸着部材１１、支持部材２、加重部材３、及び遮蔽材１の模様、色彩を統一させることで、遮蔽装置１０全体としてまとまりのあるデザインを構成することができる。
【実施例２】
【００２６】
図４に示すように、被吸着部材２１が支持部材２に設けられた板体である遮蔽装置２０であってもよい。被吸着部材２１は鉄製の平板であるが、これに限定されない。例えば、棒体であってもよく、材質が強磁性体であればよい。被吸着部材２１は支持部材２の背面に配置され、その面方向に回転可能となるように、一方の先端部が支持部材２の端部に取り付けられている。被吸着部材２１の使用時はその長手方向を重力方向として配置し、不使用時は被吸着部材２１の長手方向を支持部材２の長手方向と一致するように配置する。この際、支持部材２に磁石等を設けて被吸着部材２１を保持してもよい。不使用時に被吸着部材２１の他端が支持部材から出っ張ることのないように、被吸着部材２１の長手方向の長さは設計される。
【００２７】
この実施例２による遮蔽装置２０の被吸着部材２１は支持部材２から重力方向に下げられている。このため、使用者は背丈に応じた高さに吸着部材１１を吸着させることができる。また、被吸着部材２１の不使用時は、被吸着部材２１を回転させて支持部材２の背面に収納し得るので、被吸着部材２１が遮蔽装置２０の外観に影響を与えることを防止し得る。
【００２８】
図５に示すように、複数の板がその面方向に回転可能となるように軸着された被吸着部材２２や、板を引き出して延長し、板を押し込んで収納可能な被吸着部材２３であってもよい。これらの被吸着部材２２、２３は、その長短を調節し得るので、使用者は更に広範に吸着部材１１の吸着位置を選択することができる。
【実施例３】
【００２９】
図６に示すように、被吸着部材３２が遮蔽材１に固定されたマグネットシートであり、吸着部材３３が操作紐４に設けた球体である遮蔽装置３０であってもよい。
【００３０】
被吸着部材３２は、遮蔽材１の背面の上端から下端にかけて縫い付けられている。被吸着部材３２は遮蔽材１と共に巻き上げられるので、薄く、柔軟であり、複数の吸着部材３３を強固に吸着させるために、磁気力の強いものが好ましい。
【００３１】
吸着部材３３は鉄等の強磁性体から製造され、不図示の貫通孔を有している。この貫通孔に通された操作紐４と貫通孔との摩擦によって、吸着部材３３は操作紐４に取り付けられており、複数の吸着部材３３が所定の間隔で操作紐４に取り付けられている。吸着部材３３の寸法は、案内部材での引っ掛かりを軽減する為に、小さなものが好ましい。例えば球径1.5ｍｍ〜5ｍｍのものが使用できる。
【００３２】
この実施例３による遮蔽装置３０は、遮蔽材１の一端から他端にかけて被吸着部材３２を備えているので、使用者は遮蔽材１の開閉の程度に合わせて吸着部材３３の吸着位置を選択することができる。
【００３３】
この実施例３において被吸着部材３２は、遮蔽材１の裏面に配置されているが、これに限られない。例えば、様々な色の被吸着部材３２を用いて模様を構成したものを遮蔽材１の表面に配置してもよい。
【実施例４】
【００３４】
図７に示すように、被吸着部材４１及び吸着部材３３が操作紐４に取り付けられた遮蔽装置４０であってもよい。
【００３５】
被吸着部材４１は、円柱形状の希土類磁石にカバーキャップを被せたものであり、カバーキャップは不図示の取付手段を有している。取付手段は例えばクリップであり、操作紐４を挟持する。これにより被吸着部材４１は操作紐４に取り付けられる。被吸着部材４１は、遮蔽材１を下した状態に於いて、案内部材と垂れ下がった操作紐４の下端との間の任意の位置に取り付けられる。被吸着部材４１に使用する磁石は円柱形状の希土類磁石に限定されることなく、例えば、角型、リング型形状であってもよく、フェライト磁石等であってもよい。
【００３６】
図８に示すように、この実施例４による遮蔽装置４０は、被吸着部材４１及び吸着部材３３を操作紐４に設けることにより、遮蔽装置４０の取付位置、開閉状態等に影響されずに、操作紐４を束ねて保持することができる。また、クリップを用いて操作紐４に取り付けられた被吸着部材４１は、その取付位置を変更可能であるので、使用者の背丈に応じて、また把持部４２の紐長を調節することができる。
【００３７】
以上、本考案の遮蔽装置の態様について説明したが、本考案はその趣旨を逸脱しない範囲で、当業者の知識に基づき種々の改良、修正、変形を加えた態様で実施し得るものであり、これらの態様はいずれも本考案の範囲に属するものである。
【符号の説明】
【００３８】
１...遮蔽材、２...支持部材、３...加重部材、４...操作紐、５、２１、２２、２３、３２、４１...被吸着部材、１１、３３...吸着部材、１０、２０、３０、４０...遮蔽装置、１２...吸着部、１３...掛着部、１４...貫通孔、４２...把持部
【図１】
0003175194.tif 000003
【図２】
0003175194.tif 000004
【図３】
0003175194.tif 000005
【図４】
0003175194.tif 000006
【図５】
0003175194.tif 000007
【図６】
0003175194.tif 000008
【図７】
0003175194.tif 000009
【図８】
0003175194.tif 000010
【図９】
0003175194.tif 000011